(57)【要約】【課題】操作性が良く、利便性が高い情報処理装置を提供する。【解決部】複数のメイン機能を搭載し、メイン機能ごとに、１または複数の制御情報から構成されるユーザジョブをユーザ操作に応じて動的に生成して保存しておき、ユーザ操作に応じて再利用する情報処理装置において、前記ユーザジョブを、対応するメイン機能に依存することなく一元管理するユーザジョブ管理部を備える。また、この構成において、前記ユーザジョブ管理部に、対話画面表示部と、一時記憶部と、画面表示制御部と、ユーザジョブ用包括対話部品とを設けることも好ましい。【選択図】  図１
2004266466.tif 000002
【特許請求の範囲】
【請求項１】
複数のメイン機能を搭載し、メイン機能ごとに、１または複数の制御情報から構成されるユーザジョブをユーザ操作に応じて動的に生成して保存しておき、ユーザ操作に応じて再利用する情報処理装置において、
前記ユーザジョブを、対応するメイン機能に依存することなく一元管理するユーザジョブ管理部を備えたことを特徴とする情報処理装置。
【請求項２】
請求項１の情報処理装置において、
前記ユーザジョブ管理部は、
前記ユーザが操作することにより、前記制御情報を指定するための１または複数の対話部品を含む対話画面を表示する対話画面表示部と、
当該対話画面上の対話部品に対してユーザが行った操作の内容を一時的に記憶しておく一時記憶部と、
その時点で使用している前記メイン機能に応じて当該対話画面表示部が表示する対話画面を遷移させる画面表示制御部と、
その時点で使用している前記メイン機能に依存することなくユーザの操作を受け付ける態様で、前記対話画面の外部または内部に配置され、ユーザが操作すると、前記ユーザジョブを保存するためのユーザジョブ保存画面を前記対話画面表示部に表示させるユーザジョブ用包括対話部品とを備えたことを特徴とする情報処理装置。
【請求項３】
請求項２の情報処理装置において、
前記ユーザジョブ保存画面が表示された状態で行うユーザ操作に応じて、当該ユーザジョブ保存画面の直前に前記対話画面表示部が表示していた対話画面上の対話部品に対するユーザの操作の内容に対応する制御情報集合を、前記一時記憶部から読み出し、ユーザジョブとして保存するユーザジョブ保存部を備えたことを特徴とする情報処理装置。
【請求項４】
請求項３の情報処理装置において、
前記ユーザジョブ保存画面には、複数のユーザジョブの各々に対応したユーザジョブ用個別対話部品を複数設け、
前記ユーザジョブ保存部は、
前記対話画面表示部に当該ユーザジョブ保存画面が表示された状態で、複数のユーザジョブ用個別対話部品のなかの１つをユーザが操作すると、そのユーザジョブ用個別対話部品と前記制御情報集合を対応付け、当該制御情報集合をユーザジョブとして保存することを特徴とする情報処理装置。
【請求項５】
請求項１の情報処理装置において、
前記ユーザジョブ管理部は、
前記ユーザが操作することにより、前記制御情報を指定するための１または複数の対話部品を含む対話画面を表示する対話画面表示部と、
その時点で使用している前記メイン機能に応じて当該対話画面表示部が表示する対話画面を遷移させる画面表示制御部と、
その時点で使用している前記メイン機能に依存することなくユーザの操作を受け付ける態様で、前記対話画面の外部または内部に配置され、ユーザが操作すると、予め保存してある前記ユーザジョブを呼び出すためのユーザジョブ呼出画面を前記対話画面表示部に表示させるユーザジョブ用包括対話部品とを備えたことを特徴とする情報処理装置。
【請求項６】
請求項５の情報処理装置において、
前記ユーザジョブ呼出画面の直前に前記対話画面表示部が表示していた対話画面に対応するメイン機能に依存することなく、前記ユーザジョブ呼出画面が表示された状態で行うユーザ操作に応じて、ユーザジョブを呼び出すユーザジョブ呼出部を備えたことを特徴とする情報処理装置。
【請求項７】
請求項６の情報処理装置において、
前記ユーザジョブ呼出画面には、複数のユーザジョブの各々に対応したユーザジョブ用個別対話部品を複数設け、
前記ユーザジョブ呼出部は、
前記対話画面表示部に当該ユーザジョブ呼出画面が表示された状態で、複数のユーザジョブ用個別対話部品のなかの１つをユーザが操作すると、そのユーザジョブ用個別対話部品と予め対応付けられたユーザジョブを呼び出すことを特徴とする情報処理装置。
【請求項８】
請求項７の情報処理装置において、
前記ユーザジョブ呼出部が該当するユーザジョブを呼び出したとき、前記対話画面表示部には、そのユーザジョブに対応するメイン機能における通常の対話画面が表示され、なおかつ、その対話画面上の対話部品の表示には、呼び出したユーザジョブを構成する制御情報の内容が反映された状態であることを特徴とする情報処理装置。
【請求項９】
請求項８の情報処理装置において、
呼び出したユーザジョブを構成する制御情報の内容が反映された状態の対話画面上の対話部品に対し、ユーザが操作を行うことで、ユーザジョブの内容を変更し、変更後のユーザジョブに基づいて該当するメイン機能を機能させることを特徴とする情報処理装置。
【請求項１０】
複数のメイン機能を搭載し、メイン機能ごとに、１または複数の制御情報から構成されるユーザジョブをユーザ操作に応じて動的に生成して保存しておき、ユーザ操作に応じて再利用する情報処理方法において、
ユーザジョブ管理部が、前記ユーザジョブを、対応するメイン機能に依存することなく一元管理することを特徴とする情報処理方法。
【請求項１１】
請求項１０の情報処理方法において、
前記ユーザジョブ管理部では、
対話画面表示部が、前記ユーザが操作することにより前記制御情報を指定するための１または複数の対話部品を含む対話画面を表示し、
当該対話画面上の対話部品に対してユーザが行った操作の内容を一時記憶部が一時的に記憶し、
画面表示制御部が、その時点で使用している前記メイン機能に応じて当該対話画面表示部が表示する対話画面を遷移させ、
その時点で使用している前記メイン機能に依存することなくユーザの操作を受け付ける態様で、前記対話画面の外部または内部に配置されたユーザジョブ用包括対話部品を、ユーザが操作すると、前記ユーザジョブを保存するためのユーザジョブ保存画面を前記対話画面表示部に表示させることを備えたことを特徴とする情報処理方法。
【請求項１２】
請求項１１の情報処理方法において、
前記ユーザジョブ保存画面が表示された状態で行うユーザ操作に応じて、当該ユーザジョブ保存画面の直前に前記対話画面表示部が表示していた対話画面上の対話部品に対するユーザの操作の内容に対応する制御情報集合を、ユーザジョブ保存部が前記一時記憶部から読み出し、ユーザジョブとして保存することを特徴とする情報処理方法。
【請求項１３】
請求項１２の情報処理方法において、
前記ユーザジョブ保存画面には、複数のユーザジョブの各々に対応したユーザジョブ用個別対話部品を複数設け、
前記ユーザジョブ保存部は、
前記対話画面表示部に当該ユーザジョブ保存画面が表示された状態で、複数のユーザジョブ用個別対話部品のなかの１つをユーザが操作すると、そのユーザジョブ用個別対話部品と前記制御情報集合を対応付け、当該制御情報集合をユーザジョブとして保存することを特徴とする情報処理方法。
【請求項１４】
請求項１０の情報処理方法において、
前記ユーザジョブ管理部では、
対話画面表示部が、前記ユーザが操作することにより前記制御情報を指定するための１または複数の対話部品を含む対話画面を表示し、
画面表示制御部が、その時点で使用している前記メイン機能に応じて当該対話画面表示部が表示する対話画面を遷移させ、
その時点で使用している前記メイン機能に依存することなくユーザの操作を受け付ける態様で、前記対話画面の外部または内部に配置されたユーザジョブ用包括対話部品を、ユーザが操作すると、予め保存してある前記ユーザジョブを呼び出すためのユーザジョブ呼出画面を前記対話画面表示部に表示させることを特徴とする情報処理方法。
【請求項１５】
請求項１４の情報処理方法において、
前記ユーザジョブ呼出画面の直前に前記対話画面表示部が表示していた対話画面に対応するメイン機能に依存することなく、前記ユーザジョブ呼出画面が表示された状態で行うユーザ操作に応じて、ユーザジョブ呼出部が、ユーザジョブを呼び出すことを特徴とする情報処理方法。
【請求項１６】
請求項１５の情報処理方法において、
前記ユーザジョブ呼出画面には、複数のユーザジョブの各々に対応したユーザジョブ用個別対話部品を複数設け、
前記ユーザジョブ呼出部は、
前記対話画面表示部に当該ユーザジョブ呼出画面が表示された状態で、複数のユーザジョブ用個別対話部品のなかの１つをユーザが操作すると、そのユーザジョブ用個別対話部品と予め対応付けられたユーザジョブを呼び出すことを特徴とする情報処理方法。
【請求項１７】
請求項１６の情報処理方法において、
前記ユーザジョブ呼出部が該当するユーザジョブを呼び出したとき、前記対話画面表示部には、そのユーザジョブに対応するメイン機能における通常の対話画面が表示され、なおかつ、その対話画面上の対話部品の表示には、呼び出したユーザジョブを構成する制御情報の内容が反映された状態であることを特徴とする情報処理方法。
【請求項１８】
請求項１７の情報処理方法において、
呼び出したユーザジョブを構成する制御情報の内容が反映された状態の対話画面上の対話部品に対し、ユーザが操作を行うことで、ユーザジョブの内容を変更し、変更後のユーザジョブに基づいて該当するメイン機能を機能させることを特徴とする情報処理方法。
【発明の詳細な説明】
【０００１】
【発明の属する技術分野】
本発明は情報処理装置および情報処理方法に関し、例えば、スキャン機能、複写機能、ＦＡＸ機能などの各機能のうち少なくとも２つの機能を一台のマシンに搭載した複合機（ＭＦＰ）などに適用して好適なものである。
【０００２】
【従来の技術】
スキャン機能、複写機能、ＦＡＸ機能などの各サービス機能のうち少なくとも２つのサービス機能を一台のマシンに搭載した複合機において、各サービス機能を実行させようとする場合、ユーザは予め動作条件を指定する必要がある。
【０００３】
例えば、原稿サイズ、カラーモード、読み取り解像度などの各項目（各パラメータ）がこの動作条件に該当する。
【０００４】
複合機はユーザと対話するためのユーザインタフェースとして例えばタッチパネルなどを備えており、ユーザは該当するサービス機能（例えば、複写機能）のための機能設定画面（例えば、複写機能設定画面）を表示した状態のタッチパネルに指で触れる操作を繰り返すことにより所望の動作条件を指定する。具体的には、タッチパネルに触れることで、所望の動作条件を指定するためのアイコンを有するウインドウ（すなわち、機能設定画面）を開き、その機能設定画面上で当該アイコンに触れることで動作条件を指定することができる。
【０００５】
指定した動作条件は、そのサービス機能を実行させる際の制御情報となり、制御情報の集合であるジョブの構成要素となる。例えば、原稿サイズとしてＡ４を指定して複写機能を実行させれば、Ａ４サイズの用紙に複写結果が印刷されて出力される（例えば、特許文献１参照）。
【０００６】
この点は複合機に限らず、１つの機能（例えば、複写機能）だけした搭載していない装置（例えば、複写機）でも同じである。
【０００７】
複合機でも、単機能の複写機などでも、現在の画像処理装置は多機能化が進んでいるため、前記動作条件を構成する項目の数が多く（前記ウインドウの数も多いため）、ユーザが動作条件を指定するための準備作業も煩雑で、操作負担が大きく、かなりの操作時間を要する可能性が高い。
【０００８】
そこで、ジョブメモリと呼ばれるサービス支援機能を用いて、操作負担の軽減や、操作時間の短縮をはかっている。ジョブメモリ機能は、ユーザが一度、指定した制御情報の集合（すなわち、ジョブ）を登録しておき、何回でも再利用することを可能にするものである。
【０００９】
前記複合機の場合、前記サービス機能が複数搭載されているため、サービス機能を支援するためのサービス支援機能であるジョブメモリ機能も、各サービス機能ごとに独立した形式で搭載されるのが普通である。
【００１０】
例えば、当該複合機がサービス機能としてスキャン機能、複写機能、ＦＡＸ機能の３機能を搭載している場合、ジョブメモリ機能は、スキャン機能専用ジョブメモリ機能、複写機能専用ジョブメモリ機能、ＦＡＸ機能専用ジョブメモリ機能の３つに分かれて搭載されている。
【００１１】
したがって、前記タッチパネルに表示されるウインドウの構成、すなわち画面遷移の順番も、サービス機能の相違の制約を強く受けたものとなる。
【００１２】
例えば、前記３つのサービス機能のうち複写機能の使用中は、タッチパネルに複写機能専用の画面（複写機能設定画面）が表示されている。そしてこの複写機能設定画面には、複写機能に関する動作条件をユーザが指定するための複数のアイコンが配列されている。
【００１３】
ユーザはこの複写機能設定画面で各アイコンに触れて個別に制御情報を指定することもでき、複写機能設定画面から前記複写機能専用ジョブメモリ機能を呼び出して、前記複写機能専用ジョブメモリ機能に登録済みのジョブを再利用することもできる。
【００１４】
ジョブを登録するときもこれと同様で、複写機能設定画面で各アイコンに触れて個別に制御情報を指定した結果を、複写機能設定画面（または当該複写機能設定画面から遷移した複写機能用のジョブ登録画面など）で、複写機能専用ジョブメモリ機能に登録することができる。
【００１５】
【特許文献１】
特開平１１−９８２８７号公報（第５−６頁、図９）
【００１６】
【発明が解決しようとする課題】
ところが、このような複合機でタッチパネルに例えば複写機能設定画面を表示中、ユーザがその他のサービス機能（例えば、ＦＡＸ機能）のジョブメモリ機能（ＦＡＸ機能専用ジョブメモリ機能）を呼び出そうとすると、まず最初に、機能設定画面を複写機能設定画面から、ＦＡＸ機能設定画面に遷移させる操作が必要になる。
【００１７】
そして、当該ＦＡＸ機能設定画面に遷移したあとにはじめて、前記ＦＡＸ機能専用ジョブメモリ機能を呼び出すことが可能になる。
【００１８】
すなわち、機能設定画面を遷移させる分だけユーザの操作負担が大きいため、操作性が悪く、ジョブメモリ機能へのアクセス性が悪かった。
【００１９】
なお、前記ジョブを該当するジョブメモリ機能に登録する場合にも、同様な制約を受けるため、利便性に欠ける面があった。
【００２０】
【課題を解決するための手段】
かかる課題を解決するために、第１の発明では、複数のメイン機能（例えば、１７）を搭載し、メイン機能ごとに、１または複数の制御情報から構成されるユーザジョブ（例えば、ＪＣ２１）をユーザ操作に応じて動的に生成して保存しておき、ユーザ操作に応じて再利用する情報処理装置（例えば、１０）において、前記ユーザジョブを、対応するメイン機能に依存することなく一元管理するユーザジョブ管理部（例えば、１２，１６、ＭＥ２，ＭＧ４）を備えたことを特徴とする。
【００２１】
また、第２の発明では、複数のメイン機能を搭載し、メイン機能ごとに、１または複数の制御情報から構成されるユーザジョブをユーザ操作に応じて動的に生成して保存しておき、ユーザ操作に応じて再利用する情報処理方法において、
ユーザジョブ管理部が、前記ユーザジョブを、対応するメイン機能に依存することなく一元管理することを特徴とする。
【００２２】
これにより、異なるメイン機能に対応する複数のユーザジョブを一元的に管理することができる。
【００２３】
【発明の実施の形態】
（Ａ）実施形態
以下、本発明にかかる情報処理装置および情報処理方法を、スキャン機能、複写機能、ＦＡＸ機能などの各サービス機能を搭載した複合機に適用した場合を例に、実施形態について説明する。
【００２４】
（Ａ−１）実施形態の構成
本実施形態の複合機１０の全体構成例を図１に示す。
【００２５】
図１において、当該複合機１０は、通信部１１と、制御部１２と、操作部１３と、記憶部１４と、表示部１５と、表示制御部１６と、複写機能部１７と、スキャナ機能部１８と、ＦＡＸ機能部１９とを備えている。
【００２６】
このうち通信部１１はインターネットやファクシミリ通信網などを経由した通信のために機能する部分である。例えば、スキャナ（スキャナ機能部１８）で読み込んだ画像を収容した添付ファイルを伴う電子メールを送信する場合などにも、この通信部１１が機能する。
【００２７】
操作部１３は、当該複合機１０を利用するユーザＵ１が操作して複合機１０にに指示を伝える部分である。複合機１０のボディ上に設けられた機械的なボタン（ハードキー）や、タッチパネル上のアイコン（対話部品）がこの操作部１３の構成要素である。この操作部１３と前記表示部１５により、複合機１０のユーザインタフェース２０が構成される。
【００２８】
本実施形態で使用可能なユーザインタフェースの構成は多種多様であるが、図２に示すユーザインタフェース２０のようにタッチパネル２１を用いる構成を取る場合、少なくともタッチパネル２１の部分で、当該操作部１３と表示部１５は物理的に（あるいは、機械的に）一体不可分となる。
【００２９】
図２において、当該ユーザインタフェース２０は、当該タッチパネル２１のほか、ハードキー２２〜２８を備えている。
【００３０】
このうち本実施形態の構成上、最も重要なものは、ジョブメモリボタン２３である。当該ジョブメモリボタン２３はハードキー２２〜２８の１つで、あるユーザＵ１が指などで操作（例えば、押し下げ）することにより、そのときタッチパネル２１上に表示されている画面に依存することなく、いつでもジョブメモリ機能を呼び出すことができるボタンである。
【００３１】
その他のハードキーでは、コピーボタン２４が複写機能設定画面ＭＧ１を表示させる際などに操作するボタンであり、ＦＡＸボタン２５がＦＡＸ（ファクシミリ）機能設定画面ＭＧ２（図４参照）を表示させる際などに操作するボタンであり、スキャンボタン２６がスキャナ機能設定画面ＭＧ３（図５参照）を表示させる際などに操作するボタンである。
【００３２】
また、テンキー２２は、数字や記号などを指定するために操作されるボタン群であり、特殊及び共通使用ボタン２７は、特殊処理の実行を指示するために操作したり、各サービス機能に関して共通に使用され得るボタンであり、スタートボタン２８は、前記動作条件の設定が終わったジョブを起動するときに操作するボタンである。
【００３３】
タッチパネル２１に表示される画面（例えば、ＭＧ１）は、いわゆるＧＵＩ（グラフィカルユーザインタフェース）を構成するものである。タッチパネル２１のＧＵＩは、ウインドウを表示する位置やウインドウのサイズを変更することができない等の制約はあるものの、基本的にはパーソナルコンピュータなどのＧＵＩと同等な機能を備えており、複合機１０内部のウインドウシステムＷＮ１によって提供される。したがって、周知のタブなどの機能も利用することができる。
【００３４】
なお、図示の状態でタッチパネル２１に表示されている画面は、基本タブアイコンＴＢ１１を選択したとき（指で触れたとき）表示される複写機能設定画面（ダイアログボックス）ＭＧ１である。応用タブアイコンＴＢ１２や特殊タブアイコンＴＢ１３を選択すると、複写機能のためのこれとは異なる画面が表示されることになる。
【００３５】
図２の例で設定用アイコンＣＮ１１〜ＣＮ１６のそれぞれが、拡大・縮小の値（例えば、７１％）、原稿サイズ、用紙サイズ（例えば、原稿サイズがＡ３で用紙サイズがＡ４）などの複写機能に関する各制御情報を示しており、例えば、これら６つの制御情報の集合により、複写機能のための１つのジョブ（ここでは、「ジョブ制御文」とする）が構成される。
【００３６】
ユーザＵ１がこのジョブ制御文の内容を変更するためにはその構成要素である各制御情報の値（例えば、前記７１％）を変更すればよく、各制御情報の値を変更するためには、指でタッチパネル２１上の該当する設定用アイコン（例えば、ＣＮ１１）に触れたり、テンキー２２を操作したり、共通使用ボタン２７を操作したりする作業が必要になる。
【００３７】
本実施形態におけるジョブ制御文は２通りに分けることができる。その１つは、そのとき実行しようとするサービス機能で１回だけ使用するジョブ制御文（再利用不可能ジョブ制御文）であり、もう１つは、ジョブメモリ機能を用いて保存（登録）しておき、以降のサービス機能の実行でも繰り返し再利用するジョブ制御文（再利用可能ジョブ制御文）である。
【００３８】
ジョブメモリ機能に登録しない通常のジョブ制御文は、再利用不可能ジョブ制御文である。
【００３９】
ここで、再利用不可能ジョブ制御文の１つをＪＣ１１とし、再利用可能ジョブ制御文の１つをＪＣ２１とする。
【００４０】
再利用不可能ジョブ制御文は、機能設定画面（例えば、ＭＧ１）を表示させた状態でユーザＵ１が制御情報の指定を行うことによって生成される。このときユーザが指定しない制御情報は、自動的にデフォルトの値（あるいは前回の値）で補えるようにしておけば、再利用不可能ジョブ制御文を構成するすべての制御情報をユーザが明示的に指定する必要はなくなる。
【００４１】
再利用可能ジョブ制御文は、再利用不可能ジョブ制御文をジョブメモリ機能に登録することによって生成、保存される。したがってジョブ制御文としてみた場合、再利用可能ジョブ制御文は、再利用不可能ジョブ制御と異なるところがない。ユーザＵ１は、再利用不可能ジョブ制御文を再利用可能ジョブ制御文としてジョブメモリ機能に登録するため、ユーザインタフェース２０に対し後述するジョブメモリ登録操作を行う必要がある。
【００４２】
なお、タッチパネル２１上に表示される画面には、前記複写機能設定画面ＭＧ１のほか、図４に示すＦＡＸ機能設定画面ＭＧ２、図５に示すスキャナ機能設定画面ＭＧ３、図６に示すジョブメモリ設定画面ＭＧ４などがあり、タッチパネル２１やハードキー（例えば、２３，２４〜２６など）に対するユーザ操作に応じて、画面が遷移する。
【００４３】
図４において、ＦＡＸ機能設定画面ＭＧ２には、タブアイコンＴＢ２１〜ＴＢ２３と、設定用アイコンＣＮ２１〜ＣＮ２８が設けられている。同様に、図５において、スキャナ機能設定画面ＭＧ３には、タブアイコンＴＢ３１，ＴＢ３２と、設定用アイコンＣＮ３１〜ＣＮ４８が設けられている。また、図６において、ジョブメモリ設定画面ＭＧ４には、タブアイコンＴＢ５１，ＴＢ５２と、ジョブメモリアイコンＣＮ５１〜ＣＮ５９が設けられている。
【００４４】
ジョブメモリアイコンＣＮ５１〜ＣＮ５９は、登録済みのいずれかの再利用可能ジョブ制御文に対応付けられている。いずれのジョブメモリアイコンにいずれの再利用可能ジョブ制御文を対応付けるかは、ジョブメモリ登録操作に応じて決まる。
【００４５】
例えば、「鈴木用」と表示されたジョブメモリアイコンＣＮ５５に前記再利用可能ジョブ制御文ＪＣ２１が対応付けられているものとすると、ユーザＵ１は当該ジョブメモリアイコンＣＮ５５に触れることで、再利用可能ジョブ制御文ＪＣ２１を呼び出すことができる。
【００４６】
この対応付けの内容はテーブルなどを利用して整理し、保存しておくことができる。
【００４７】
図１に示す表示部１５は、ハードウエア的には例えば前記タッチパネル２１に対応する部分である。前記ハードキー２２〜２８の内部に発光素子などが配置されて点灯や点滅によりユーザＵ１に対して情報を伝える場合には、そのハードキーも、当該表示部１５の構成要素となり得る。
【００４８】
表示制御部１６は表示部１５における表示内容を制御する部分で、前記ウインドウシステムＷＮ１がその主な構成要素である。
【００４９】
制御部１２は、ハードウエア的には当該複合機１０のＣＰＵ（中央処理装置）に相当し、ソフトウエア的にはＯＳ（オペレーティングシステム）２１などの各種プログラムに相当する部分である。
【００５０】
複合機のＯＳとしては、処理のリアルタイム性を重視したリアルタイムＯＳが用いられることが多い。このＯＳは、未知のアプリケーションにサービスを提供する必要性が低いなど、複合機特有の環境に対応して、パーソナルコンピュータなどのＯＳとは異なる性質を有するが、基本的な機能はパーソナルコンピュータなどのＯＳと同じであり、ジョブ管理は当該ＯＳ２１の役割である。
【００５１】
機能部１７〜１９は上述したサービス機能を実現する部分である。各機能部は必ずそのサービス機能を実現するためのハードウエアを備え、通常は、そのサービス機能を実現するためのソフトウエア（１または複数のプログラム）も備える。このプログラムのうちいずれのプログラムを実行させるかを決めたり、実行させるプログラムが複数存在する場合には、どのような順番で実行させるか等を決めたりすることが、前記ＯＳ２１による（ジョブの実行に関する）ジョブ管理である。
【００５２】
上述したジョブメモリ機能は、ジョブメモリ管理用の専用プログラムを利用して実現すること等も可能であるが、ここでは、ジョブメモリ機能も、広義のジョブ管理の一部とみてＯＳ２１のジョブ管理によって実現するものとする。
【００５３】
ＯＳ２１によるジョブの実行に関するジョブ管理は、上述したジョブ制御文に基づいて実行される。少なくともジョブの実行のジョブ管理に関しては、再利用可能ジョブ制御文によるジョブ管理も、再利用不可能ジョブ制御文によるジョブ管理と同じである。
【００５４】
本実施形態の場合、複合機１０は３つのサービス機能を搭載しているため、機能部１７〜１９の数は３つであるが、例えば、２つのサービス機能を搭載した複合機ならば、機能部の数は２つになることは当然である。
【００５５】
機能部１７〜１９のうち複写機能部１７は複写機能を実現する部分で、複写機能のためのハードウエアと、複写機能のための１または複数のプログラム（図示の例では、１つのプログラムＰＲ２２）を備えている。
【００５６】
同様に、スキャナ機能部１８はスキャナ機能を実現する部分で、スキャナ機能のためのハードウエアと、スキャナ機能のための１または複数のプログラム（図示の例では、１つのプログラムＰＲ２３）を備えており、ＦＡＸ機能部１９はＦＡＸ機能を実現する部分で、ＦＡＸ機能のためのハードウエアと、ＦＡＸ機能のための１または複数のプログラム（図示の例では、１つのプログラムＰＲ２４）を備えている。
【００５７】
記憶部１４はハードウエア的には、ＲＡＭ（ランダムアクセスメモリ）や、ハードディスクなどによって構成される記憶資源であり、ソフトウエア的には、各種のファイルがこの部分に含まれ得る。ＯＳ２１や、各サービス機能のためのプログラムＰＲ２２〜ＰＲ２４を収容したプログラムファイルなどもこのようなファイルの例であるから、ＯＳ２１、ＰＲ２２〜ＰＲ２４なども、その物理的な実体は、この記憶部１４に位置する。
【００５８】
当該記憶部１４にはまた、前記再利用可能ジョブ制御文を保存しておくための保存用記憶領域ＭＥ２が確保される。再利用可能ジョブ制御文は、複合機１０の電源が切れたあとでも保存しておけるように、ハードディスク、ＮＶＲＡＭ、ＥＥＰＲＯＭなどの不揮発性記憶手段上に確保した記憶領域に記憶することが望ましい。
【００５９】
なお、再利用不可能ジョブ制御部（例えば、ＪＣ１１）によるジョブ管理を行うためには、記憶部１４内に少なくとも一時的に当該再利用不可能ジョブ制御文ＪＣ１１が記憶される必要があるが、本実施形態においてこの一時記憶の内容は、後述するように、ジョブメモリ機能による再利用可能ジョブ制御文（例えば、ＪＣ２１）の登録のためにも活用される。この一時記憶は、記憶部１４上に確保される一時記憶用の記憶領域ＭＥ１で行われる。
【００６０】
記憶領域ＭＥ１は、ハードディスクなどの不揮発性記憶手段上に確保するようにしてもよいが、ＲＡＭなどの揮発性記憶手段上に確保することも可能である。
【００６１】
以下、上記のような構成を有する本実施形態の動作について、図７のフローチャートを参照しながら説明する。
【００６２】
図７のフローチャートは、再利用可能ジョブ制御文を呼び出す際の複合機１０内における動作を示すもので、Ｓ１０〜Ｓ１６の各ステップから構成されている。
【００６３】
（Ａ−２）実施形態の動作
ジョブメモリ機能を用いずに複合機１０のサービス機能を利用する場合、ユーザＵ１は、該当するサービス機能ごとの機能設定画面を前記タッチパネル２１上に表示させ、各設定用アイコンなどを操作することで、前記再利用不可能ジョブ制御文の内容をその都度、定義する。
【００６４】
例えば、利用するサービス機能が複写機能である場合、前記コピーボタン２４を操作することにより、タッチパネル２１上に、図２に示すような複写機能設定画面ＭＧ１を表示させる。なお、図３は、図２のなかから画面ＭＧ１の部分だけを抽出して図示したものである。
【００６５】
設定用アイコンＣＮ１１〜ＣＮ１６、テンキー２２，共通使用ボタン２７などの操作によって、再利用不可能ジョブ制御文ＪＣ１１の内容の定義（すなわち、動作条件の設定）が終わると、ユーザＵ１は、スタートボタン２８を操作して、当該ジョブ制御文ＪＣ１１に応じたジョブを実行させ、複写結果を取得することができる。
【００６６】
定義の途中も含め、ユーザＵ１がユーザインタフェース２０の構成要素を操作して制御情報の値を変更するたびに、その変更は、一時記憶用の記憶領域ＭＥ１に記憶されているジョブ制御文ＪＣ１１に反映されるから、ユーザＵ１がいつスタートボタン２８を操作してもその時点の再利用不可能ジョブ制御文ＪＣ１１によるジョブを実行させることができる。
【００６７】
ジョブメモリ機能に対するジョブ制御文の登録も、後述するように、この記憶領域ＭＥ１の記憶内容をもとに行われる。
【００６８】
例えば、図２（または、図３）に示す複写機能設定画面ＭＧ１がタッチパネル２１に表示されているとき、ユーザＵ１がジョブメモリボタン２３を操作すると、表示される画面はＭＧ１から図６に示すジョブメモリ設定画面ＭＧ４に遷移する。
【００６９】
なお、図６では遷移直後に呼出用タブアイコンＴＢ５１が選択された状態にあるが、反対に、遷移直後に、登録用タブアイコンＴＢ５２が選択された状態にあるようにしてもよい。ユーザＵ１にとっていずれが効率的であるかは、ジョブメモリ機能に対する登録の頻度と呼出の頻度のいずれが高いかによって相違するが、一般的には、呼出の頻度のほうが高いと考えられるため、遷移直後の画面は、図６に示すように呼出用タブアイコンＴＢ５１が選択された状態であるほうが効率的である。
【００７０】
図６において、登録用タブアイコンＴＢ５２が選択されたときにタッチパネル２１上に表示されるジョブメモリ登録画面の内容は図示していないが、基本的には、図６に示すジョブメモリ設定画面ＭＧ４と同じであってよい。ただしこれから登録するジョブ制御文にはジョブ名（例えば、ジョブメモリアイコンＣＮ５５に表示された「鈴木用」など）が付与されていないのが普通であるから、ジョブメモリ登録画面には、ジョブ名を付与するための画面に遷移する際に使用する対話部品などを用意しておくことが必要になる可能性が高い。
【００７１】
複合機１０には一種のワープロ機能が搭載されていて、そのときタッチパネル２１上に表示される画面の内容や、ハードキー２２，２７などの操作を介して、ジョブメモリに登録するジョブ制御文に、仮名や漢字を用いた任意のジョブ名を付与することができる。複合機に搭載されるこのようなワープロ機能は周知のものである。
【００７２】
この登録の際、当該ジョブ制御文をジョブメモリアイコン（例えば、ＣＮ５５）と対応付けることになる。
【００７３】
ジョブメモリに登録する直前の再利用不可能なジョブ制御文ＪＣ１１は、記憶領域ＭＥ１に記憶されていたが、このジョブ制御文ＪＣ１１と同じ内容を持つ再利用可能なジョブ制御文ＪＣ２１は、記憶領域ＭＥ２に記憶される。
【００７４】
複合機１０内部における処理の観点では、ジョブメモリ機能に対するジョブ制御文の登録は、記憶領域ＭＥ１に記憶されたジョブ制御文（例えば、ＪＣ１１）をそのまま記憶領域ＭＥ２にコピーする処理にほかならない。単にコピーするだけであるから、ユーザＵ１は簡単な操作で、新たな再利用可能ジョブ制御文を登録することができる。
【００７５】
記憶領域ＭＥ２にコピーされたジョブ制御文（例えば、ＪＣ２１）は、消去や、上書きの操作が明示的に行われない限り、半永久的に保存され、繰り返し呼び出されて利用される。
【００７６】
一方、ジョブメモリに登録済みのジョブ制御文（再利用可能ジョブ制御文）を呼び出す場合の動作は次の通りである。
【００７７】
複合機１０の通常の運用形態では、多くの場合、タッチパネル２１上には、いずれかのサービス機能に対応する機能設定画面（例えば、ＭＧ１）が表示されている。
【００７８】
複合機１０運用中のある時点で、タッチパネル２１上に表示されているのが、いずれのサービス機能に対応する機能設定画面であっても、あるいは、機能設定画面以外の画面（例えば、前記ワープロ機能に対応する画面など）であっても、ユーザＵ１は、ジョブメモリボタン２３を操作することによって、いつでも、図６に示すジョブメモリ設定画面ＭＧ４を表示させることができる。
【００７９】
上述したように、遷移直後の画面が呼出用タブアイコンＴＢ５１が選択された状態にあるものとすると、ジョブメモリボタン２３を操作した直後に、当該ジョブメモリ設定画面ＭＧ４が表示されることになる。
【００８０】
図６から明らかなように、当該ジョブメモリ設定画面ＭＧ４上に配列されたジョブメモリアイコンＣＮ５２，ＣＮ５３，ＣＮ５４，ＣＮ５５、ＣＮ５７，ＣＮ５９には、登録時に付与したジョブ名が表示されているため、ユーザＵ１は所望の再利用可能ジョブ制御文を直ちに判断し、該当するジョブメモリアイコン（例えば、ＣＮ５５）に触れることができる。
【００８１】
また、再利用可能ジョブ制御文の数は通常それほど多いものではないため、パーソナルコンピュータの画面などに比べるとサイズが小さいことの多い複合機１０のタッチパネル２１上にも、すべてのサービス機能に関するジョブ制御文のジョブメモリアイコンを一画面に表示させることが可能である。
【００８２】
例えば、「議事録スキャン」というジョブ名を表示したアイコンＣＮ５２に対応するサービス機能はスキャン機能であり、「両面・縮小コピー」というジョブ名を表示したアイコンＣＮ５７に対応するサービス機能は複写機能であり、「得意先へのＦａｘ送信」というジョブ名を表示したアイコンＣＮ５９に対応するサービス機能はＦＡＸ機能である。
【００８３】
したがってこの場合、ユーザＵ１はいずれのサービス機能に属する再利用可能ジョブ制御文を呼び出す場合でも、前記ジョブメモリボタン２３の操作と、該当するジョブメモリアイコン（例えば、ＣＮ５５）の操作（指触）の、合計２回の操作だけで、所望の再利用可能ジョブ制御文を呼び出すことができる。これにより、ユーザの操作負担は従来に比べて大きく軽減できる。
【００８４】
ユーザＵ１がジョブメモリアイコンに触れたあと、複合機１０の内部では、図７に示すフローチャートに応じた動作が実行される。
【００８５】
登録時点で、例えば、「鈴木用」と表示されたジョブメモリアイコンＣＮ５５に前記再利用可能ジョブ制御文ＪＣ２１が対応付けられており、ユーザＵ１が触れたジョブメモリアイコンが当該ＣＮ５５であるとすると、複合機１０は、ユーザＵ１がジョブメモリアイコンＣＮ５５に触れたことを検出したとき（Ｓ１０）、前記保存用記憶領域ＭＥ２のなかから、当該再利用可能ジョブ制御文ＪＣ２１を読み出して（Ｓ１１）、その制御情報の種類を検査する（Ｓ１２、Ｓ１４）。
【００８６】
この検査は、自動的に、当該再利用可能ジョブ制御文ＪＣ２１に対応する機能設定画面（例えば、ＭＧ１）をタッチパネル２１に表示するために必要なものである。
【００８７】
ジョブ制御文は各サービス機能ごとに異なる種類の制御情報を持っているため、制御情報の種類を検査することによって、サービス機能を判定し、表示すべき機能設定画面の構成を特定することができる。例えば、拡大・縮小などの制御情報を含むジョブ制御文は、複写機能に対応するものと判定でき、回転角度や解像度などの制御情報を含むジョブ制御文は、スキャナ機能に対応するものと判定することができる。
【００８８】
保存用記憶領域ＭＥ２から読み出した再利用可能ジョブ制御文ＪＣ２１が複写機能に対応するものでないと判定した場合、ステップＳ１２はＮＯ側に分岐し、複写機能に対応するものであると判定した場合には、ＹＥＳ側に分岐する。ステップＳ１２がＹＥＳ側に分岐すると、前記タッチパネル２１に複写機能設定画面が表示される（Ｓ１３）。
【００８９】
このとき表示される複写機能設定画面の内容は、その画面構成に関する限り、図２や図３に示した画面ＭＧ１と同じであるが、表示される具体的な制御情報の値（例えば、前記７１％など）は、当該再利用可能ジョブ制御文ＪＣ２１の内容に応じて異なるものとなり得る。
【００９０】
ステップＳ１４の処理もステップＳ１２と同様であり、再利用可能ジョブ制御文ＪＣ２１がＦＡＸ機能に対応するものでないと判定した場合、ステップＳ１４はＮＯ側に分岐し、ＦＡＸ機能に対応するものであると判定した場合には、ＹＥＳ側に分岐する。ステップＳ１４がＹＥＳ側に分岐すると、前記タッチパネル２１に画面ＭＧ２などのＦＡＸ機能設定画面が表示される（Ｓ１５）。
【００９１】
ステップＳ１４がＮＯ側に分岐した場合、画面ＭＧ３などのスキャン機能設定画面が表示される（Ｓ１６）。
【００９２】
ここでは、複合機１０に搭載しているサービス機能が複写機能、ＦＡＸ機能、スキャン機能の３つだけであることを考慮し、複写機能でもなく、ＦＡＸ機能でもないものは、スキャン機能であるとして、ステップＳ１４がＮＯ側に分岐したあと、直ちに、スキャン機能設定画面を表示させている。
【００９３】
図７のフローチャートでは、最初に複写機能に対応するか否かを検査し、次に、ＦＡＸ機能に対応するか否かを検査しているが、この順番は反対にしてもかまわない。また、複写機能またはＦＡＸ機能のいずれかを、スキャン機能と置き換えて検査してもかまわない。ただしその場合には、ステップＳ１３，Ｓ１５，Ｓ１６の処理内容も置き換える必要があることは当然である。
【００９４】
再利用可能ジョブ制御文ＪＣ２１に対応したサービス機能の機能設定画面が表示されたとき、その機能設定画面上の各設定用アイコンに表示される値は、当該再利用可能ジョブ制御文ＪＣ２１を構成する各制御情報の値であるから、一例として、再利用可能ジョブ制御文ＪＣ２１に対応したサービス機能が複写機能であれば、当該再利用可能ジョブ制御文ＪＣ２１を呼び出したときステップＳ１３で表示される機能設定画面は、図２に示す通りの画面ＭＧ１であってよい。
【００９５】
この画面の表示後、直ちにスタートボタン２８を操作することにより、ユーザＵ１は、呼び出した再利用可能ジョブ制御文ＪＣ２１をそのままジョブ制御文として利用してジョブ（ここでは、複写機能部１７に対応するプログラムＰＲ２２）を起動することができる。
【００９６】
ただし、機能設定画面（例えば、ＭＧ１）はいつでもユーザＵ１との対話を行うことができるから、ユーザＵ１が必要性を感じた場合には、呼び出したあとそのままジョブを起動するのではなく、再利用可能ジョブ制御文ＪＣ２１を構成する制御情報の一部を変更してからジョブを起動することができる。
【００９７】
なお、上述したように、ジョブメモリ機能をＯＳ２１のジョブ管理によって実現した場合、ステップＳ１０〜Ｓ１６の処理の実行主体は、主としてＯＳ２１となる。
【００９８】
（Ａ−２）実施形態の効果
本実施形態によれば、ユーザの操作負担が軽減できるため、ジョブメモリ機能へのアクセス性が改善でき、操作性が高い。
【００９９】
また、本実施形態では、ジョブ制御文をジョブメモリ機能に登録する際にも、利便性が高い。
【０１００】
（Ｂ）他の実施形態
なお、上記実施形態では、ジョブメモリボタン２３をハードキーとして設けたが、ジョブメモリボタン２３は、アイコンとしてタッチパネル２１内に設けることも可能である。ただしその場合には、タッチパネル２１に表示される画面が遷移してもジョブメモリボタンが表示されるように画面構成を変更する必要がある。
【０１０１】
ユーザＵ１がいつでも操作するためには遷移する可能性のある全画面上に当該ジョブメモリボタンを表示することが必要であるが、全画面上に表示させることは必ずしも必須ではない。従来、ジョブメモリ機能を呼び出すことのできなかった画面上にジョブメモリボタンを表示させれば、従来に比較して操作性の向上が期待できるからである。
【０１０２】
また、上記実施形態では複合機に本発明を適用したが、本発明は、複合機以外の複数のサービス機能を搭載した情報処理装置に広く適用することが可能である。
【０１０３】
なお、上記実施形態では、図６に示すように、一画面のジョブメモリ設定画面に、すべてのサービス機能に関するジョブ制御文のジョブメモリアイコンを表示するものとしたが、登録した再利用可能ジョブ制御文の数が多い場合などには、複数の画面に分けてジョブメモリアイコンを表示してもよいことは当然である。
【０１０４】
以上の説明において、ハードウエア的な構成要素の多くはソフトウエア的な構成要素に置換可能であり、ソフトウエア的な構成要素のほとんど全ては、ハードウエア的な構成要素に置換可能である。
【０１０５】
【発明の効果】
以上に説明したように、本発明によれば、ユーザの操作負担が軽減されるため、操作性が良く、利便性が高い。
【図面の簡単な説明】
【図１】実施形態に係る複合機の全体構成例を示す概略図である。
【図２】実施形態で使用するユーザインタフェースの外観構成例である。
【図３】実施形態で使用する画面の構成例である。
【図４】実施形態で使用する画面の構成例である。
【図５】実施形態で使用する画面の構成例である。
【図６】実施形態で使用する画面の構成例である。
【図７】実施形態の動作例を示すフローチャートである。
【符号の説明】
１０…複合機、１１…通信部、１２…制御部、１３…操作部、１４…記憶部、１５…表示部、１６…表示制御部、１７…複写機能部、１８…スキャナ機能部、１９…ＦＡＸ機能部、２０…ユーザインタフェース、ＯＳ２１…オペレーティングシステム、ＰＲ２２〜ＰＲ２４…プログラム、ＪＣ１１…再利用不可能ジョブ制御文、ＪＣ２１…再利用可能ジョブ制御文。
【図１】
2004266466.tif 000003
【図２】
2004266466.tif 000004
【図３】
2004266466.tif 000005
【図４】
2004266466.tif 000006
【図５】
2004266466.tif 000007
【図６】
2004266466.tif 000008
【図７】
2004266466.tif 000009